(57)【要約】  【課題】所与のユーザ・エンティティ（ＵＥ）からの送信機会にアップリンク送信を受信するようになされた第１の基地局（ＢＳ１）のための方法及び基地局を提供する。  【解決手段】この方法は、Ｉ−所与のユーザ・エンティティからの送信が送信機会に受信されるかどうか（１０，２０）、ＩＩ−過負荷状況が基地局に存在するかどうか、ＩＩＩ−所与のユーザ・エンティティからの予想される送信を受信することに関して基地局がソフトハンドオーバの状態にあるかどうかという条件Ｉ〜ＩＩＩがすべて存在することが判明したかどうかを検出するステップと、条件Ｉ〜ＩＩＩがすべて存在することが判明した場合に、少なくともパワーダウン（ＤＯＷＮ）信号の発行から反復する（２４）ステップとを含み、信号対混信（ＳＩＲ）レベルが定義済みの第１のレベルを超え、通常、パワーダウン（ＤＯＷＮ）信号の発行を引き起こす可能性があるが、パワーダウン信号（ＤＯＷＮ）の発行からの反復（２４）が実行される。【選択図】図６
2013512599.tif 000002
【特許請求の範囲】
【請求項１】
所与のユーザ・エンティティ（ＵＥ）からの送信機会にアップリンク送信を受信するようになされた第１の基地局（ＢＳ１）のための方法であって、
前記基地局（ＢＳ１）が、さらに、単一ユーザ・エンティティからの送信が部分的に前記第１の基地局（ＢＳ１）によって受信され、部分的に第２の基地局（ＢＳ２）によって受信されるように、前記第２の基地局（ＢＳ２）と協力するようになされ、このような送信がソフトハンドオーバとも表記され、
少なくとも前記第１の基地局（ＢＳ１）が、パワーアップ信号（ＵＰ）又はパワーダウン信号（ＤＯＷＮ）を送信することにより前記ユーザ・エンティティからの前記アップリンク送信の電力を制御し、
前記ユーザ・エンティティが、
−  前記第１の基地局（ＢＳ１）からのパワーダウン信号（ＤＯＷＮ）と前記第２の基地局からのパワーアップ信号（ＵＰ）を受信するか又はその逆の時に、より低い送信電力レベルを使用して、少なくともその後の送信機会に前記送信電力を調整し、
−  パワーアップ（ＵＰ）信号を受信し、パワーダウン（ＤＯＷＮ）信号を全く受信しない時に、より高いレベルに前記送信電力を調整し、
−  パワーダウン信号を受信し、パワーアップ信号を全く受信しない時に、より低いレベルに前記送信電力レベルを調整する
ようになされ、
前記方法が、
Ｉ−所与のユーザ・エンティティからの送信が送信機会に受信されるかどうか（１０，２０）
ＩＩ−過負荷状況が前記基地局に存在するかどうか
ＩＩＩ−前記所与のユーザ・エンティティからの予想される送信を受信することに関して前記基地局がソフトハンドオーバの状態にあるかどうか
という条件Ｉ〜ＩＩＩがすべて存在することが判明したかどうかを検出するステップと、
条件Ｉ〜ＩＩＩがすべて存在することが判明した場合に、
少なくともパワーダウン（ＤＯＷＮ）信号の発行から反復する（２４）ステップとを含み、
信号対混信（ＳＩＲ）レベルが定義済みの第１のレベルを超え、通常、パワーダウン（ＤＯＷＮ）信号の発行を引き起こす可能性があるが、パワーダウン（ＤＯＷＮ）信号の発行からの前記反復（２４）が実行されることを特徴とする、方法。
【請求項２】
後者の場合に前記ユーザ・エンティティで非継続送信機会、即ち、欠落応答（ＤＴＸ−２４）を検出できるように、条件Ｉ〜ＩＩＩがすべて存在することが判明した場合に、パワーアップ（ＵＰ）信号が発行されるか又はいかなる信号も送信されない、請求項１記載の方法。
【請求項３】
前記第１の基地局内の前記過負荷状況の結果、所与のレートを上回るユーザ・エンティティからのトラフィックのデコードが前記基地局内で不可能になるように、ハードウェア及び／又はソフトウェア・リソースが前記基地局内で制限されることになる、請求項１又は２記載の方法。
【請求項４】
前記基地局が、拡張専用チャネル（Ｅ−ＤＣＨ）を取り入れた広帯域符号分割多元接続（ＷＣＤＭＡ）方式により動作するようになされる、請求項１乃至３のいずれかに記載の方法。
【請求項５】
前記第１の基地局内の前記過負荷状況が、前記第１の基地局（ＢＳ１）に対して非サービング関係を有する少なくとも１つの所与のユーザ・エンティティに関するデコード・リソース制限によって引き起こされる、請求項４記載の方法。
【請求項６】
前記第１の基地局（ＢＳ１）が、さらに、肯定応答信号（ＡＣＫ）により、非肯定応答信号（ＮＡＣＫ）により、又は所与のスケジュールされた送信機会にいかなる送信も検出されない場合に応答すること（ＤＴＸ）から反復することにより、所与のユーザ・エンティティからの所与の送信機会（ＴＴＩ）に予想される送信に応答するようになされる、請求項１乃至５のいずれかに記載の方法。
【請求項７】
所与のユーザ・エンティティ（ＵＥ）からのスケジュールされた送信機会にアップリンク送信を受信するようになされた基地局（ＢＳ１）であって、第１の基地局（ＢＳ１）と表記される前記基地局（ＢＳ１）が、さらに、単一ユーザ・エンティティからの送信が部分的に前記第１の基地局（ＢＳ１）によって受信され、部分的に第２の基地局（ＢＳ２）によって受信されるように、前記第２の基地局（ＢＳ２）と協力するためになされ、このような送信がソフトハンドオーバとも表記され、
前記第１の基地局（ＢＳ１）が少なくとも、パワーアップ信号（ＵＰ）又はパワーダウン信号（ＤＯＷＮ）を送信することにより前記ユーザ・エンティティからの前記アップリンク送信の電力を制御することに貢献し、
前記ユーザ・エンティティが、
−  前記第１の基地局（ＢＳ１）からのパワーダウン信号（ＤＯＷＮ）と前記第２の基地局からのパワーアップ信号（ＵＰ）を受信するか又はその逆の時に、より低い送信電力レベルを使用して、少なくともその後の送信機会に前記送信電力を調整し、
−  ＵＰ信号を受信し、パワーダウン（ＤＯＷＮ）信号を全く受信しない時に、より高いレベルに前記送信電力を調整し、
−  パワーダウン（ＤＯＷＮ）信号を受信し、パワーアップ（ＵＰ）信号を全く受信しない時に、より低いレベルに前記送信電力レベルを調整する
ようになされ、
前記第１の基地局（ＢＳ１）が、
Ｉ−所与のユーザ・エンティティからの送信が送信機会に受信されるかどうか（１０，２０）
ＩＩ−過負荷状況が前記基地局に存在するかどうか
ＩＩＩ−前記所与のユーザ・エンティティからの予想される送信を受信することに関して前記基地局がソフトハンドオーバの状態にあるかどうか
という条件Ｉ〜ＩＩＩがすべて存在することが判明したかどうかを検出するようになされるスケジューラ（ＳＣＨ）を含み、
条件Ｉ〜ＩＩＩがすべて存在することが判明した場合に、
前記基地局（ＢＳ１）が少なくともパワーダウン（ＤＯＷＮ）信号の発行から反復し（２４）、信号対混信（ＳＩＲ）レベルが定義済みの第１のレベルを超え、通常、パワーダウン（ＤＯＷＮ）信号の発行を引き起こす可能性があるが、パワーダウン（ＤＯＷＮ）信号の発行からの反復（２４）が実行されることを特徴とする、基地局。
【請求項８】
後者の場合に前記ユーザ・エンティティで非継続送信機会、即ち、欠落応答（ＤＴＸ−２４）を検出できるように、条件Ｉ〜ＩＩＩがすべて存在することが判明した場合に、パワーアップ（ＵＰ）信号が発行されるか又はいかなる信号も送信されない、請求項７記載の基地局。
【請求項９】
前記第１の基地局（ＢＳ１）内の前記過負荷状況の結果、所与の上限数を上回るユーザ・エンティティからの送信のトラフィックを前記第１の基地局によって処理できないように、ハードウェア及び／又はソフトウェア・リソースが前記第１の基地局内で制限されることになる、請求項７又は８記載の基地局。
【請求項１０】
前記基地局が、前記基地局内の前記過負荷状況を検出するようになされた過負荷評価ユニット（ＯＶＬＵ）をさらに含む、請求項７乃至９のいずれかに記載の基地局。
【請求項１１】
前記基地局が、拡張専用チャネル（Ｅ−ＤＣＨ）を含む広帯域符号分割多元接続（ＷＣＤＭＡ）方式により動作するようになされる、請求項７乃至１０のいずれかに記載の基地局。
【請求項１２】
前記第１の基地局（ＢＳ１）が、さらに、肯定応答信号（ＡＣＫ）により、非肯定応答信号（ＮＡＣＫ）により、又は所与のスケジュールされた送信機会にいかなる送信も検出されない場合に応答すること（ＤＴＸ）から反復することにより、所与のユーザ・エンティティからの所与の送信機会（ＴＴＩ）に予想される送信に応答するようになされる、請求項７乃至１１のいずれかに記載の基地局。
【発明の詳細な説明】
【技術分野】
【０００１】
本発明は、ソフトハンドオーバ（soft handover）及び／又はソフターハンドオーバ（softer handover）を使用することができるポイントツーマルチポイント（point to multipoint）無線通信のためのアップリンク電力制御（uplink power control）に関する。より具体的には、本発明は、高速アップリンクＨＳＵＰＡ規格により動作する基地局及びこのような基地局のための方法に関する。
【背景技術】
【０００２】
第３世代パートナーシップ・プロジェクト（３ＧＰＰ）は、国際電気通信連合（ＩＴＵ）内で広帯域符号分割多元接続（ＷＤＣＭＡ）という第３世代（３Ｇ）の携帯電話システムを標準化した。３ＧＰＰ  ＷＣＤＭＡ規格のリリース６では、アップリンク速度を増加し、アップリンク内の遅延を低減する、拡張アップリンク（ＥＵＬ）と表記された特徴を含むように規格が拡張された。ＥＵＬは、拡張専用チャネル（Ｅ−ＤＣＨ）というアップリンク・トランスポート・チャネルに基づくものである。ＥＵＬの概要については、３ＧＰＰ文書２５．３０９並びにWCDMA Enhanced Uplink - Technical Description EAB-04:013098に記載されている。無線エンドユーザ間で使用可能な帯域幅を迅速に再割り当てする能力を備えたＥＵＬは、それぞれの帯域幅要件において大きく急速に変動するパケット・データ適用例に適合するように適切に対処されている。
【０００３】
送信電力制御
ＷＣＤＭＡシステムでは、ユーザ装置（ＵＥ）からの送信電力は３ＧＰＰ規格に定義された２つの送信電力制御（ＴＰＣ）アルゴリズムによって制御される。この２つのアルゴリズムは内部及び外部ループ電力制御と呼ばれる。３ＧＰＰ文書２５．２１４にはこの電力制御が詳細に記載されており、本明細書では本発明に関連する部分について簡単に記載する。
【０００４】
ソフトハンドオーバ
Ｅ−ＤＣＨの主な利点はソフトハンドオーバを実行する能力であり、これは、それぞれの関係Ｎｏｄｅ−Ｂにおいて１つの所与のユーザ装置からのアップリンク信号を「同時」データ受信することを伴う。多くの送信側ユーザ装置を含む環境では、それぞれの関係Ｎｏｄｅ−Ｂが所与のユーザ装置に関するアップリンク送信の電力を制御することによって、これが可能になる。ＵＥとセルキャリア（cell carrier）との間の各接続は無線リンクと呼ばれ、同じＵＥに接続されたすべての無線リンクのセットはアクティブ・セットと呼ばれる。即ち、アクティブ・セットは１つ又は複数の無線リンクで構成される。それぞれのＮｏｄｅ−Ｂは、同じＵＥに接続された１つ又は複数の無線リンク・セットを有することができる。１つの無線リンク・セットは１つ又は複数の無線リンクからなるセットである。
【０００５】
外部ループ電力制御
外部ループ電力制御アルゴリズムの目的は、アップリンクにおける干渉レベルを最小限にし、その結果、ネットワークの容量を最大限にするように試みながら、特定の品質でそのサービスが維持されることを保証するように、アップリンクにおけるＵＥからの送信を制御することである。これは、以下の項に記載する内部ループ電力制御を使用してＮｏｄｅ−Ｂが目指す信号対混信比（ＳＩＲ）の目標を設定する無線ネットワーク・コントローラ（ＲＮＣ）によって達成される。起こり得る最低のアップリンク干渉で所望の品質を維持できるように、必要な時にＳＩＲの目標を上げ下げして調整することはＲＮＣの責任である。所望の品質は、例えば、デコードされたデータ内のブロック・エラーの数或いはＥ−ＤＣＨ上の必要なハイブリッド自動反復要求（ＨＡＲＱ）再送信の数として測定することができる。
【０００６】
図１は、ＲＮＣと、それぞれ３つのセルキャリアを有する２つのＮｏｄｅ−Ｂと、１つのＵＥとの間の接続を示す概略図である。ＲＮＣはＩｕインターフェースを介してコア・ネットワークに接続され、Ｎｏｄｅ−ＢはＩｕｂインターフェースを介してＲＮＣに接続され、ＵＥはＵｕインターフェースを介してＮｏｄｅ−Ｂに接続される。図１は、ＵＥがそのセルキャリア１により１つのＮｏｄｅ−Ｂ１に接続され、そのセルキャリア４により他のＮｏｄｅ−Ｂ２に接続されるという一例を示している。ＲＮＣは、Ｎｏｄｅ−Ｂ内の各無線リンク・セットが目指しているＳＩＲの目標を送信する。図１は、Ｎｏｄｅ−Ｂ内の各無線リンクに使用されるＳＩＲの目標レベルをＲＮＣが制御することを示している。
【０００７】
内部ループ電力制御
アクティブ・セット内の各無線リンク・セットについて、Ｎｏｄｅ−Ｂは、各スロット内の受信アップリンク専用物理チャネル（ＤＰＣＨ）又は部分専用物理チャネル（Ｆ−ＤＰＣＨ）のＳＩＲを推定する。推定されたＳＩＲがＲＮＣによって定義されたＳＩＲの目標値（外部ループ電力制御の項を参照）を超える場合、Ｎｏｄｅ−ＢはダウンリンクでＴＰＣコマンド「０」を送信する。推定されたＳＩＲがＳＩＲの目標未満である場合、Ｎｏｄｅ−ＢはダウンリンクでＴＰＣ（送信電力制御）コマンド「１」を送信する。１つのＮｏｄｅ−Ｂ内に２つ以上の無線リンク（２つ以上のセルで受信）が存在し、それらが同じ無線リンク・セットに属する場合、すべての関係無線リンクからのすべての専用物理制御チャネル（ＤＰＣＣＨ）が結合され、ＳＩＲレベルが測定されて、ＳＩＲの目標値と比較され、そのＮｏｄｅ−Ｂ内の無線リンク・セットのすべてのセルのダウンリンクＤＰＣＨ又はＦ−ＤＰＣＨ上で１つの共通ＴＰＣコマンドが送信される。１つのＮｏｄｅ−Ｂ内に２つ以上の無線リンク・セットが常駐する場合、Ｎｏｄｅ−ＢはそのＮｏｄｅ−Ｂ内の無線リンク・セットを結合して１つの共通ＴＰＣコマンドをＵＥに送信するか、又は無線リンク・セットを個別に処理することができ、その場合、結果的にそれぞれ異なるＴＰＣコマンドがＵＥに送信される可能性がある。その場合のＵＥは、アクティブ・セット内のセルから送信された１つ又は複数のＴＰＣコマンドから単一ＴＰＣコマンドを導出する。３ＧＰＰでは、ＵＥがＴＰＣコマンドを導出するために異なる２つのアルゴリズムをサポートすることを明記している。どちらのアルゴリズムを使用するかは上位層が選択する。
【０００８】
第１の最も一般的に使用されるアルゴリズムは、３ＧＰＰではアルゴリズム１と呼ばれ、すべてのスロットについて１回ずつ評価され（毎秒１５００回）、入力として各無線リンク・セットＷ１、Ｗ２、．．．ＷＮから送信されたＴＰＣコマンドについてソフト判断を行う関数γに基づくものである。このアルゴリズムは、ＵＥを電力の点で１ステップ上に上げるか又は各スロットごとに１ステップ下に下げることになる。第２のアルゴリズムはアルゴリズム２と呼ばれ、５スロットおきに評価され、ＵＥの送信電力を増加又は減少するかどうかを決定するため、或いは送信電力を同じ状態で存続させるために、異なる無線リンク・セットから送信された０及び１の数をカウントする。これらの２つのＵＥアルゴリズムに関する詳細については、３ＧＰＰ文書２５．２１４の第５．１．２．２．２項及び第５．１．２．２．３項を参照されたい。
【０００９】
上述の規格により基地局によって並びに一般に無線通信規格によって具体的に提供されるデータ転送速度の増加につれて、デコード及び信号処理のための計算リソースに関する要件が高くなる。トラフィックが過度に大きい場合、基地局は、電波インターフェースに関する制約ではなく、基地局の計算リソースの制約により、過負荷になるだけである可能性がある。以下に実証されるように、ソフトハンドオーバで動作するために適合された従来技術の基地局は、過負荷状況では、そのリソースが考慮に入れるものより多くのデータを基地局がアップリンクで受信する時に適切に応答しない可能性がある。
【００１０】
参考文献
３ＧＰＰ  ２５．２１４、「Technical Specification Group Radio Access Network - Physical Layer Procedures (FDD)」、リリース８
３ＧＰＰ  ２５．３０９、「Technical Specification Group Radio Access Network - FDD Enhanced Uplink - Overall Description - Stage 2」、リリース６
【発明の概要】
【発明が解決しようとする課題】
【００１１】
次に発行されるＷＣＤＭＡのリリースにより、Ｅ−ＤＣＨは、ワイヤレス・インターネットの利用の増加に適合するように、より高い帯域幅、より短い遅延、サービス品質アプリケーションなどをサポートできるようになる。Ｅ−ＤＣＨによって対応されるトラフィックのバースト特性を考慮すると、無線ネットワークのユーザ間で共用可能なハードウェア及び／又はソフトウェア・リソースをＮｏｄｅ−Ｂが有することが好ましいであろう。以下でＮｏｄｅ−Ｂリソースという用語を使用する場合、ハードウェア及び／又はソフトウェアの両方のリソースに言及するものである。しかし、本発明によれば、Ｎｏｄｅ−Ｂは、それぞれのユーザが最大レートを使用する場合、「予約されたＮｏｄｅ−Ｂリソース」が１つのＮｏｄｅ−Ｂによって対応される最大数の被サポート・ユーザに対応しなければならないような大きさにできないことが認識される。このような解決策は費用対効果の大きいものにはならないであろう。
【００１２】
Ｎｏｄｅ−Ｂリソースを特定のユーザに対して事前予約できるという解決策、例えば、Ｎｏｄｅ−Ｂがスケジューラによって次に認可されるレートに対してＮｏｄｅ−Ｂリソースを前もって事前予約するという解決策から、本出願の発明者は様々な共用度を想像することができる。他の共用度は、デコードされたＥ−ＤＰＣＣＨの結果に応じてＮｏｄｅ−Ｂリソースを共用することになり、例えば、どのユーザがＮｏｄｅ−Ｂにデータを送信する場合でもそのユーザがそれをデコードするためにＮｏｄｅ−Ｂリソースを割り当てることになるであろう。後者の解決策では、ユーザに対してレートを認可する前にＮｏｄｅ−Ｂスケジューラがリソースを事前予約する必要はないが、Ｎｏｄｅ−Ｂリソースがデコードできる最大被サポート・レート以上にスケジューラが割り振らないことを要求している。配備されるＷＣＤＭＡシステムの大多数である非ＴＤＭＡ  ＷＣＤＭＡシステムでは、エンドユーザはデータを相互に分離するために異なる拡散コードと同時に送信し、エンドユーザは所望のユーザ・スループットに応じて異なる拡散因子及び送信電力を有する。Ｎｏｄｅ−Ｂは多くのユーザから同時にデータを受信することができ、それぞれのユーザの認可されたレートもＮｏｄｅ−Ｂ内でデコード可能なレートになるように集約された干渉レベルが受け入れ可能なものであることを再保証することはＮｏｄｅ−Ｂ内のスケジューラ次第である。
【００１３】
アップリンクの場合、許容できる干渉の量はユーザ間で共用される共通リソース、即ち、Ｎｏｄｅ−Ｂにおける全受信電力に影響する。一般に、データ転送速度が高いほど、必要な送信電力が大きくなり、従って、エアリンク・リソース（air-link resource）消費量が大きくなることが当てはまる。上記で定義されたＮｏｄｅ−Ｂリソースという用語とは区別するために、本明細書では無線リンク・リソースについてエアリンク・リソースという用語をさらに使用する。
【００１４】
本発明はＷＣＤＭＡシステムだけでなく、ソフトハンドオーバ又はソフターハンドオーバが可能なその他のシステムにも関連するものであることが理解される。
【課題を解決するための手段】
【００１５】
従って、ソフトハンドオーバで動作するために適合された基地局のための方法であって、その基地局内で計算処理能力の限界によって引き起こされた過負荷状況に迅速かつ効率的に適合する方法を明記することが本発明の第１の目的である。
【００１６】
この目的は請求項１によって定義される主題によって達成され、同項では、所与のユーザ・エンティティ（ＵＥ）からの送信機会にアップリンク送信を受信するように適合された第１の基地局（ＢＳ１）のための方法が提供され、基地局（ＢＳ１）は、その上、単一ユーザ・エンティティからの送信が部分的に第１の基地局（ＢＳ１）によって受信され、部分的に第２の基地局（ＢＳ２）によって受信されるように、第２の基地局（ＢＳ２）と協力するために適合され、このような送信はソフトハンドオーバとも表記され、少なくとも第１の基地局（ＢＳ１）は、パワーアップ信号（ＵＰ）又はパワーダウン信号（ＤＯＷＮ）を送信することによりユーザ・エンティティからのアップリンク送信の電力を制御する。
ユーザ・エンティティは、
−  第１の基地局（ＢＳ１）からのパワーダウン信号（ＤＯＷＮ）と第２の基地局からのパワーアップ信号（ＵＰ）を受信するか又はその逆の時に、より低い送信電力レベルを使用して、少なくともその後の送信機会に送信電力を調整し、
−  パワーアップ（ＵＰ）信号を受信し、パワーダウン（ＤＯＷＮ）信号を全く受信しない時に、より高いレベルに送信電力を調整し、
−  パワーダウン信号を受信し、パワーアップ信号を全く受信しない時に、より低いレベルに送信電力レベルを調整する
ように適合される。
この方法は、
Ｉ−所与のユーザ・エンティティからの送信が送信機会に受信されるかどうか（１０，２０）
ＩＩ−過負荷状況が基地局に存在するかどうか
ＩＩＩ−所与のユーザ・エンティティからの予想される送信を受信することに関して基地局がソフトハンドオーバの状態にあるかどうか
という条件Ｉ〜ＩＩＩがすべて存在することが判明したかどうかを検出するステップと、
条件Ｉ〜ＩＩＩがすべて存在することが判明した場合に、
少なくともパワーダウン（ＤＯＷＮ）信号の発行から反復する（２４）ステップとを含み、
信号対混信（ＳＩＲ）レベルが定義済みの第１のレベルを超え、通常、パワーダウン（ＤＯＷＮ）信号の発行を引き起こす可能性があるが、パワーダウン（ＤＯＷＮ）信号の発行からの反復（２４）が実行される。
【００１７】
基地局と、ソフトハンドオーバで動作するために適合された基地局のための方法であって、その基地局内で計算処理能力の限界によって引き起こされた過負荷状況に迅速かつ効率的に適合する方法とを明記することが本発明の第２の目的である。
【００１８】
この目的は請求項７によって定義される主題によって達成され、同項では、所与のユーザ・エンティティ（ＵＥ）からのスケジュールされた送信機会にアップリンク送信を受信するように適合された基地局（ＢＳ１）が提供され、第１の基地局（ＢＳ１）と表記される基地局（ＢＳ１）は、その上、単一ユーザ・エンティティからの送信が部分的に第１の基地局（ＢＳ１）によって受信され、部分的に第２の基地局（ＢＳ２）によって受信されるように、第２の基地局（ＢＳ２）と協力するために適合され、このような送信はソフトハンドオーバとも表記される。
第１の基地局（ＢＳ１）は少なくとも、パワーアップ信号（ＵＰ）又はパワーダウン信号（ＤＯＷＮ）を送信することによりユーザ・エンティティからのアップリンク送信の電力を制御することに貢献し、
ユーザ・エンティティは、
−  第１の基地局（ＢＳ１）からのパワーダウン信号（ＤＯＷＮ）と第２の基地局からのパワーアップ信号（ＵＰ）を受信するか又はその逆の時に、より低い送信電力レベルを使用して、少なくともその後の送信機会に送信電力を調整し、
−  ＵＰ信号を受信し、パワーダウン（ＤＯＷＮ）信号を全く受信しない時に、より高いレベルに送信電力を調整し、
−  パワーダウン（ＤＯＷＮ）信号を受信し、パワーアップ（ＵＰ）信号を全く受信しない時に、より低いレベルに送信電力レベルを調整する
ように適合され、
第１の基地局（ＢＳ１）は、
Ｉ−所与のユーザ・エンティティからの送信が送信機会に受信されるかどうか（１０，２０）
ＩＩ−過負荷状況が基地局に存在するかどうか
ＩＩＩ−所与のユーザ・エンティティからの予想される送信を受信することに関して基地局がソフトハンドオーバの状態にあるかどうか
という条件Ｉ〜ＩＩＩがすべて存在することが判明したかどうかを検出するように適合されるスケジューラ（ＳＣＨ）を含む。
条件Ｉ〜ＩＩＩがすべて存在することが判明した場合に、
基地局（ＢＳ１）が少なくともパワーダウン（ＤＯＷＮ）信号の発行から反復し（２４）、信号対混信（ＳＩＲ）レベルが定義済みの第１のレベルを超え、通常、パワーダウン（ＤＯＷＮ）信号の発行を引き起こす可能性があるが、パワーダウン（ＤＯＷＮ）信号の発行からの反復（２４）が実行される。
【００１９】
その他の利点は以下に示す本発明の詳細な説明から明白になるであろう。
【図面の簡単な説明】
【００２０】
【図１】従来技術のＨＳＵＰＡネットワーク及び信号送信の基本要素を示す図である。
【図２】本発明の一部を形成しない仮定的実現例であって、最大スループット限界を超えるものを示す図である。
【図３】本発明の一部を形成しない他の仮定的実現例であって、スケジューラ・マージンが使用されるものを示す図である。
【図４】本発明の第１の実施形態による基地局を示す図である。
【図５】本発明の第１の実施形態のための方法に関係する第１のフローダイアグラムである。
【図６】本発明の第１の実施形態の方法に関係する第２のフローダイアグラムである。
【図７】ユーザ・エンティティ、第１のセル、及び第２のセルに関して可能なシナリオであって、これらのエンティティが従来技術により動作するものを示す図である。
【図８】図７と同じ条件が適用されるが、本発明の方法が適用されるシナリオを示す図である。
【発明を実施するための形態】
【００２１】
ＷＣＤＭＡシステムでは、アップリンク電力調整メカニズム（ＴＰＣ）とデータ転送速度調整メカニズムの両方が提供される。ＲＮＣは、所与のユーザ・エンティティからのソフトハンドオーバ送信に関与するどのＮｏｄｅ−Ｂが「サービングノードＢ」であるかを判断し、ユーザ・エンティティからのソフトハンドオーバ送信に参加する追加のＮｏｄｅ−Ｂは非サービングＮｏｄｅ−Ｂと表記される。非サービングＮｏｄｅ−Ｂについては、そのデータ転送速度調整について制約が適用される。非サービングＮｏｄｅ−Ｂは、ＵＥからのアップリンクデータ転送速度を上げることではなく、それを制限することだけが許可される。これに対して、サービングＮｏｄｅ−Ｂは、データ転送速度を上下両方に調整することができる。ユーザ・エンティティからの送信電力を調整することについては、状況はより均整の取れたものであり、上記で説明したように、サービングＮｏｄｅ−Ｂと非サービングＮｏｄｅ−Ｂはいずれも、電力を上下に調整する（ことに貢献する）ことができる。
【００２２】
特に、ソフトハンドオーバを証明する基地局に関係する非対称型／対称型調整メカニズムについてこのような矛盾が存在するようなシステムの場合、最適にハードウェア・ソフトウェアを使用することに関する問題が明らかになる可能性がある。
【００２３】
例えば、本発明は、基地局、例えば、Ｎｏｄｅ−Ｂがその（Ｎｏｄｅ−Ｂ）計算リソースが考慮に入れるものより多くのデータをアップリンクで受信する時に発生する問題に関するものである。より具体的には、受信したＥ−ＤＰＤＣＨパケットが後者の状況のために廃棄されるという状況に焦点が合っているが、内部ループＴＰＣはその通常動作を続行することになる。これが発生する２通りのシナリオについて以下に説明する。
【００２４】
第１のシナリオ：
ＵＥは、あるＮｏｄｅ−Ｂのあるセル（図１のセル１）から他の別個のＮｏｄｅ−Ｂ内の他のセル（図１のセル４）に向かって移動するものと想定する。セル１はＵＥのサービングセルであり、アクティブ・セット内に唯一の無線リンクがあるものとさらに想定する。特定の時点で、ＲＮＣは、セル４が非サービングとしてアクティブ・セット内に追加されるように、セル４にも接続するようＵＥに命令する。そのスループットを減少させるようＵＥに強要するための相対認可をＮｏｄｅ−Ｂが送信できるまでＵＥが高速で送信する場合、Ｎｏｄｅ−Ｂリソース過負荷状況が発生する可能性がある。これは、過負荷が干渉によって引き起こされた場合にのみ可能であることに留意されたい。これは３ＧＰＰ  ２５．３０９の要件によるものであり、相対認可を送信するための原因として干渉問題以外の原因を防止するものである。
より一般的には、３ＧＰＰ文書２５．３０９によれば、非サービングＮｏｄｅ−Ｂは、従って、内部Ｎｏｄｅ−Ｂ処理リソースの欠落のためではなく、干渉理由のみのために、「トラフィックレートダウン」コマンドを送信することが許可される（即ち、高度相対認可チャネル（Ｅ−ＲＧＣＨ）がＥ−ＲＧＣＨ上でのレートを低下するようその非サービングＵＥに命令することによる）。「トラフィックレートダウン」コマンドは、上記で扱われているアップリンク送信電力制御（ＴＰＣ）コマンドとは異なることに留意されたい。その結果、例えば、非常に高いハードウェア及び／又はソフトウェア処理消費レートで送信している特定のＵＥからのデータを非サービングＮｏｄｅ−Ｂがデコードできない場合、Ｎｏｄｅ−Ｂは、ＵＥのデータ転送速度をそのＮｏｄｅ−Ｂが処理できるデータ転送速度に制限することができない。
【００２５】
第２のシナリオ：
ＵＥ１、２、及び３は同時に送信し、ＵＥ１はＵＥ２より高い認可が与えられており、ＵＥ２はＵＥ３より高い認可が与えられているものと想定する。
また、ＵＥ１、２、及び３の累積スループットはＮｏｄｅ−Ｂが処理可能な最大値であるものと想定する。次に、公平性の理由又は任意のその他の理由によりＮｏｄｅ−ＢはＵＥ１及びＵＥ３の認可されたレートのスワップを希望するが、ＵＥ１はその認可のデコードに失敗するものと想定する。ＵＥ１は、その後、以前のレートで送信し続けることになる。これにより、Ｎｏｄｅ−ＢにおいてＮｏｄｅ−Ｂリソース過負荷状況が発生することになる。エアリンク・リソース干渉状況がそれを考慮に入れるかどうかによって決まるので、Ｎｏｄｅ−Ｂがこのシナリオに記載された送信のいずれかをデコードできるかどうかが確かではないことが認識されるであろう。アップリンク・スクランブル・コードは直交性ではなく、ユーザ間の干渉が存在する。
【００２６】
上記のようなＮｏｄｅ−Ｂリソース過負荷状況を回避するために、Ｎｏｄｅ−Ｂスケジューラは、これを回避するためのスケジューラ・マージンを実現できるであろう。スケジューラ・マージンを使用することにより、Ｎｏｄｅ−Ｂリソースにとって可能な最大可能スループットをスケジューラが割り振らないことを意味することになる。
【００２７】
図２は、スケジューラ・マージンを使用しない場合の仮定的集約スループットを経時的に示している。所与のレベルでは、最大スループットに達し、集約されたエアリンク・リソースは存在するが、計算上の最大スループットによって制限される最大スループットを超えることができない。図３は、スケジューラ安全マージンの使用を示している。Ｎｏｄｅ−Ｂが処理可能な絶対最大値に関するスケジューリングを目指す代わりに、Ｎｏｄｅ−Ｂは、Ｎｏｄｅ−Ｂが処理可能な最大値から「安全マージン」を引いたものについてスケジュールする。スケジューラは、図３のスケジューラ・マージンに達した後、いかなる他のユーザ・エンティティも基地局によって対応されないように動作する。
【００２８】
上記の２通りのシナリオに記載されているように、集約されたアップリンク・スループットが実際には所与のレベルのスケジューリングを使用して推定されたものより大きくなる場合がある。特に図３の解決策の場合、Ｎｏｄｅ−Ｂがデータをデコードできない場合がかなりの程度まで回避されることが安全マージンによって実現されることが理解される。
【００２９】
安全マージンは、固定する必要はないが、アクティブ・ユーザの量などに依存する可能性がある。しかし、本発明によれば、安全マージンを使用する場合、最大スループットが低減され、これは特に実際の最大スループットの数値に焦点が合わされる場合に最適な解決策ではないことが観察される。結果的に過負荷状況を発生する可能性もあるパフォーマンス管理動作及び管理タスク、ＮＢＡＰ（Ｎｏｄｅ−Ｂアプリケーション・パート−ＲＮＣによるＮｏｄｅ−Ｂの制御を担当する信号送信プロトコル）制御信号処理タスクなどの他のタスクにもＮｏｄｅ−Ｂリソースが同時に対応できることは注目に値する。
【００３０】
結論として、ＷＣＤＭＡシステム及び同様のシステムでは、Ｎｏｄｅ−Ｂが集約されたＥ−ＤＣＨ及び同様のトラフィック・データを処理できなくなる状況が発生する可能性があり、発生することになる。
【００３１】
本発明の第１の実施形態
図４では、本発明による模範的な基地局ＢＳ１が示され、サービング基地局及び非サービング基地局の両方として動作可能なＮｏｄｅ−Ｂとも表記されている。
【００３２】
基地局は、ＲＧＣＨ／ＨＩＣＨ処理段階１〜ｎであるＲＧＣＨ／ＨＩＣＨ  ＰＲＯＣ１〜ｎと、ＡＧＣＨ処理であるＡＧＣＨ  ＰＲＯＣと、スケジューラＳＣＨと、ユーザ・エンティティ１〜ｎに関するそれぞれのＨＡＲＱエンティティであるＨＡＲＱ  ＥＮ＿ＵＥ１．．．ＵＥｎとを含み、各ＨＡＲＱエンティティは各ユーザ・エンティティに関するＨＡＲＱプロセスに応じてパケット１〜ｍを受信するための複数のＨＡＲＱ受信機ＨＡＲＱ  ＲＥＣ１．．．ＲＥＣｍを含む。その上、Ｎｏｄｅ−Ｂは、電波インターフェースによりＥ−ＡＧＣＨ及びＥ−ＲＧＣＨチャネル上で通信するための層１処理手段であるＬＡＹＥＲ１  ＰＲＯＣと、ＤＰＣＣＨ、Ｅ−ＤＰＣＣＨ、及びＥ−ＤＰＤＣＣＨチャネル上で通信するためのＬ１処理手段であるＬ１  ＰＲＯＣとを含む。その上、基地局は、ＩＵＢインターフェースにより通信するためのＥ−ＤＰＣＨ  ＦＰ手段を含む。ＭＡＣ−ｅ  ＥＤＰＣＣＨデコード手段１〜ｎはＵＥ１〜ｎに関するＨＡＲＱエンティティのために設けられている。本発明によれば、本発明によるＮｏｄｅ−Ｂに関する方法ステップは、スケジューラＳＣＨ内のプログラムとして実現することができる。
【００３３】
その上、基地局は、計算処理に関してＮｏｄｅ−Ｂで過負荷状況が発生しているかどうかを感知する処理過負荷ユニットＯＶＬＵを含む。Ｎｏｄｅ−Ｂリソース制限のためにＥ−ＤＰＤＣＨをデコードできない場合、過負荷ユニットは過負荷指示ＯＩをスケジューラに送信する。
【００３４】
本発明の第１の実施形態によれば、ユーザがソフトハンドオーバ状態にある場合に第１のＥ−ＤＣＨユーザからのＥ−ＤＰＣＣＨのデコードに成功すると、Ｎｏｄｅ−Ｂは「Ｎｏｄｅ−Ｂリソース過負荷状況」が存在するかどうかを調査し、このようなイベントが発生すると、Ｎｏｄｅ−Ｂは本発明により前記第１のＥ−ＤＣＨユーザからのＥ−ＤＰＤＣＨのデコードを廃棄又は防止する。
【００３５】
その上、Ｎｏｄｅ−Ｂは、前記第１のＥ−ＤＣＨユーザに関するＵＬ  ＴＰＣコマンドの送信を抑止する。抑止の場合、以下の代替例の両方に言及する。
−  ユーザへの任意のフィードバック（ＤＴＸ）の送信を回避すること（好ましい解決策−第１の実施形態）
−  ＵＬ  ＴＰＣコマンド「ＵＰ」を送信すること。
【００３６】
抑止フラグ）はＵＬ  ＴＰＣコマンド信号送信について「できるだけ速く」実施される。Ｎｏｄｅ−Ｂの内部過負荷状況が終わるまで、又はＮｏｄｅ−Ｂが前記第１のＵＥに関する抑止フラグを明示的に停止するまで、抑止フラグは持続する。後者は、Ｎｏｄｅ−Ｂ過負荷条件が持続する状況で使用することができるが、あるＥ−ＤＣＨユーザから他のＥ−ＤＣＨユーザに抑止条件を移動したいとＮｏｄｅ−Ｂが望む時に使用することができる。以下に示す図５及び図６の２つのフローダイアグラムは、Ｎｏｄｅ−Ｂで本発明を実行するための好ましい方法を示している。
第１のフローダイアグラムはＥ−ＤＣＨ受信手順を示している。第２のフローダイアグラムは、第１のフローダイアグラムと並行して実行される手順を示している。第２のフローダイアグラムは、本発明の一実施形態によるＮｏｄｅ−ＢにおけるＵＬ  ＴＰＣ処理の挙動を示している。ここでは、抑止フラグを使用して、ＵＬ  ＴＰＣコマンドを送信すべきかどうかを判断する。ステップ２０、２２、及び２３は従来技術でも実行される。
【００３７】
図５のフローダイアグラム：
このフローダイアグラムのステップ１０では、Ｎｏｄｅ−Ｂは、Ｕｅｘと表記された所与のユーザ・エンティティに関するＥ−ＤＰＣＣＨのデコードの成功を待つ。
ステップ１１では、Ｎｏｄｅ−Ｂは、Ｎｏｄｅ−Ｂリソース制限が存在するかどうかをチェックする。
ステップ１１でｙｅｓである場合、ステップ１５が続く。
ステップ１５では、ＵＥｘがソフトハンドオーバ状態であるかどうかがチェックされる。ｙｅｓである場合、ステップ１６が続く。ｎｏである場合、処理はステップ１４に続く。
ステップ１６では、ＵＥｘに関する抑止ＵＬ  ＴＰＣ通知が設定される。この情報が記憶される。
ステップ１１でｎｏである場合、ステップ１２は、抑止通知がＵＥｘについて設定されているかどうかをチェックし続ける（以前に設定される）。
ステップ１２でｙｅｓである場合、過負荷はもはや存在しないので、ＵＥｘに関する抑止通知を停止することにより、処理はステップ１３に続く。
ステップ１２でｎｏである場合、Ｅ−ＤＰＤＣＨをデコードすることにより、処理はステップ１４に続く（従来技術）。
第２のフローダイアグラムはＮｏｄｅ−ＢにおけるＵＬ  ＴＰＣ手順を示している。ステップ１０及び１４は従来技術でも実行される。
【００３８】
図６のフローダイアグラム：
ステップ２０では、Ｎｏｄｅ−Ｂは、Ｕｅｘに関するＤＰＣＣＨの受信を待つ。
ステップ２１では、Ｎｏｄｅ−Ｂは、Ｕｅｘに関する抑止指示が真であるかどうかをチェックする。
ステップ２１でｙｅｓである場合、ＵＥｘにＤＴＸを送信することにより、処理はステップ２４に続く。
ステップ２１でｎｏである場合、推定したＳＩＲがＳＩＲの目標未満であるか又はそれを超えるかを判断することにより、処理が続く。
ステップ２３では、ステップ２２の結果がＤＯＷＮ又はＵＰいずれかのＵＬ  ＴＰＣコマンドであるという結果を送信することにより、処理が続く。
【００３９】
換言すれば、以下の通りである。
所与のユーザ・エンティティ（ＵＥ）からの送信機会にアップリンク送信を受信するように適合された第１の基地局（ＢＳ１）のための方法が提供され、基地局（ＢＳ１）は、その上、単一ユーザ・エンティティからの送信が部分的に第１の基地局（ＢＳ１）によって受信され、部分的に第２の基地局（ＢＳ２）によって受信されるように、第２の基地局（ＢＳ２）と協力するために適合され、このような送信はソフトハンドオーバとも表記され、少なくとも第１の基地局（ＢＳ１）は、パワーアップ信号（ＵＰ）又はパワーダウン信号（ＤＯＷＮ）を送信することによりユーザ・エンティティからのアップリンク送信の電力を制御する。
ユーザ・エンティティは、
−  第１の基地局（ＢＳ１）からのパワーダウン信号（ＤＯＷＮ）と第２の基地局からのパワーアップ信号（ＵＰ）を受信するか又はその逆の時に、より低い送信電力レベルを使用して、少なくともその後の送信機会に送信電力を調整し、
−  パワーアップ（ＵＰ）信号を受信し、パワーダウン（ＤＯＷＮ）信号を全く受信しない時に、より高いレベルに送信電力を調整し、
−  パワーダウン信号を受信し、パワーアップ信号を全く受信しない時に、より低いレベルに送信電力レベルを調整する
ように適合される。
この方法は、
Ｉ−所与のユーザ・エンティティからの送信が送信機会に受信されるかどうか（１０，２０）
ＩＩ−過負荷状況が基地局に存在するかどうか
ＩＩＩ−所与のユーザ・エンティティからの予想される送信を受信することに関して基地局がソフトハンドオーバの状態にあるかどうか
という条件Ｉ〜ＩＩＩがすべて存在することが判明したかどうかを検出するステップと、
条件Ｉ〜ＩＩＩがすべて存在することが判明した場合に、
少なくともパワーダウン（ＤＯＷＮ）信号の発行から反復する（２４）ステップとを含み、
信号対混信（ＳＩＲ）レベルが定義済みの第１のレベルを超え、通常、パワーダウン（ＤＯＷＮ）信号の発行を引き起こす可能性があるが、パワーダウン（ＤＯＷＮ）信号の発行からの反復（２４）が実行される。
【００４０】
第１の実施形態のその他の有利な代替例では、その上、後者の場合にユーザ・エンティティで非継続送信機会、即ち、欠落応答（ＤＴＸ−２４）を検出できるように、条件Ｉ〜ＩＩＩがすべて存在することが判明した場合に、いかなる信号も送信されない方法が提供される。
【００４１】
第１の基地局内の過負荷状況の結果、所与のレートを上回るユーザ・エンティティからのトラフィックのデコードが基地局内で不可能になるように、ハードウェア及び／又はソフトウェア・リソースが基地局内で制限されることになる可能性がある。
【００４２】
一例によれば、基地局は、拡張専用チャネル（Ｅ−ＤＣＨ）を取り入れた広帯域符号分割多元接続（ＷＣＤＭＡ）方式により動作するように適合される。
【００４３】
第１の基地局内の過負荷状況は、第１の基地局（ＢＳ１）に対して非サービング関係を有する少なくとも１つの所与のユーザ・エンティティに関するデコード・リソース制限によって引き起こされる可能性がある。しかし、本発明は、非サービング基地局動作に制限されない。
【００４４】
例えば、ＷＣＤＭＡシステムから分かるように、第１の基地局（ＢＳ１）は、肯定応答信号（ＡＣＫ）により、非肯定（否定）応答信号（ＮＡＣＫ）により、又は所与のスケジュールされた送信機会にいかなる送信も検出されない場合に応答すること（ＤＴＸ）から反復することにより、所与のユーザ・エンティティからの所与の送信機会（ＴＴＩ）に予想される送信に応答するように適合させることができる。
【００４５】
示されている装置を要約するために、第１の実施形態により、この方法は第１の基地局で実現される。
【００４６】
第１の基地局（ＢＳ１）は、上述の条件Ｉ〜ＩＩＩがすべて存在することが判明したかどうかを検出するように適合されるスケジューラ（ＳＣＨ）を含むことができる。
【００４７】
基地局は、基地局内の過負荷状況を検出するように適合された過負荷評価ユニット（ＯＶＬＵ）をさらに含むことができる。第１の基地局（ＢＳ１）内の過負荷状況の結果、所与の上限数を上回るユーザ・エンティティからの送信のトラフィックを第１の基地局によって処理できないように、ハードウェア及び／又はソフトウェア・リソースが第１の基地局内で制限されることになるであろう。
【００４８】
本発明の第２の実施形態
図６にも示されている他の一実施形態によれば、ステップ２４では、ＤＴＸの代わりにＵＰ信号が発行される。
【００４９】
図８は、ユーザ・エンティティ、第１のセル、及び第２のセルが設けられ、Ｎｏｄｅ−Ｂが本発明の第１の実施形態により動作する、模範的なシナリオを示している。比較のため、図７は、これらのエンティティが従来技術により動作し、条件が図８のシナリオと同じである、シナリオとして可能なものを示している。
【００５０】
図８に示されているように、セルＡのＮｏｄｅ−Ｂが明示的にＥ−ＤＣＨパケットを廃棄する場合、セルＢにおける受信電力レベルが低すぎて、セルＢがＥ−ＤＣＨパケットを正常にデコードできない可能性が非常に高くなる。さらに、セルＢのＮｏｄｅ−ＢがＳＩＲレベルを上げるために「ＵＰ」コマンドを送信する場合、セルＡのＮｏｄｅ−Ｂは、ＵＥにおいて優勢な影響を及ぼす「ＤＯＷＮ」を送信する可能性が最も高くなる。
過負荷状況がセルＡで持続し、特定のユーザに関するＥ−ＤＣＨ再送信についてさらに他の廃棄が行われるかどうかに応じて、その後の再送信は結果的に同じ否定的結果になる可能性がある。より長い持続時間の間、過負荷が持続する場合、外部ループ電力制御を使用して、ＲＮＣがセルＡとセルＢの両方でＳＩＲの目標レベルを変更する可能性がある。これにより、このような条件の間に肯定的であるセルＢでの受信の可能性が改善される。しかし、ＲＮＣがＳＩＲの目標レベルを制御するペースに比較して短い持続時間、例えば、Ｎｏｄｅ−Ｂにおける過負荷の短いグリッチでＮｏｄｅ−Ｂにおける過負荷状況が発生する場合、ＳＩＲの目標の変更は遅すぎることになる。例えば、ＳＩＲの目標は必要なものより高いレベルに設定されることになり、これにより全干渉が増加することになる。
【００５１】
従来技術に対応する図７に示されているシナリオと比較すると、ある期間の間、セルＡでは過負荷のために、セルＢではＳＩＲが低すぎるために、いずれのＮｏｄｅ−ＢもＵＥからのデータをデコードすることが不可能になるという結果になる。セルＡの過負荷状況が終わるまで又はＲＮＣがＳＩＲの目標（例えば、５００ミリ秒）を変更するまで、この状況は不利なままになる。
【００５２】
本発明が適用される図８に示されているように、セルＡがいずれのＵＬ  ＴＰＣコマンドも送信しないという状況が発生する。これにより、セルＢのＵＬ  ＴＰＣコマンドは実際にＵＥの電力設定の制御権を獲得することになる。このため、数ミリ秒でＵＥ内の電力が上昇し、ＵＥが送信するデータをＮｏｄｅ−ＢでデコードできるようにセルＢ内のＳＩＲが十分に改善されるようになる。
【００５３】
指摘されているように、本発明の諸実施形態は、他のセルにＵＥの制御権を獲得させ、そのデータをデコードさせることにより、あるセルで過負荷が発生する状況を迅速に解決するものである。
【００５４】
上記で説明したように、Ｅ−ＤＣＨの主な利点はソフトハンドオーバ機能であり、これは、それぞれの関係Ｎｏｄｅ−Ｂによる電力制御と、それぞれの関係Ｎｏｄｅ−Ｂにおけるデータ受信という２つの構成要素を含む。
【００５５】
本発明は、上記で指定された多くの規格の中で特に３ＧＰＰ  ＨＳＵＰＡ規格群によりＮｏｄｅ−Ｂで実現することができる。しかし、本発明は、ソフトハンドオーバを特徴とするその他のタイプの基地局でも実現することができる。
【００５６】
上記により明らかになるように、本発明の利点の１つは、ソフトハンドオーバにおいてＵＥに対応する第１のＮｏｄｅ−Ｂにおける一時的なＮｏｄｅ−Ｂリソース過負荷状況により、第２のＮｏｄｅ−ＢがＵＥの送信電力レベルに対する制御権を獲得することができ、前記第１のＮｏｄｅ−Ｂにおいて過負荷が持続する期間中に第２のＮｏｄｅ−ＢがＵＥからの送信をデコードできるようになることである。
【００５７】
略語
３ＧＰＰ        第３世代パートナーシップ・プロジェクト
ＡＣＫ          肯定応答
ＣＰＵ          中央演算処理装置
ＤＣＨ          専用チャネル
ＤＰＣＣＨ      専用物理制御チャネル
ＤＰＣＨ        専用物理チャネル
Ｅ−ＤＣＨ      拡張専用チャネル
Ｅ−ＤＰＣＣＨ  拡張ＵＬ専用物理制御チャネル
Ｅ−ＤＰＤＣＨ  拡張ＵＬ専用物理データチャネル
ＥＵＬ          拡張アップリンク、高速アップリンクパケットアクセス（ＨＳＵＰＡ）ともいう
Ｅ−ＨＩＣＨ    拡張ＨＡＲＱ指示チャネル
Ｅ−ＲＧＣＨ    拡張相対認可チャネル
Ｆ−ＤＰＣＨ    部分専用物理チャネル
ＨＡＲＱ        ハイブリッド自動反復要求
ＩＴＵ          国際電気通信連合
Ｉｕ            コア・ネットワークとＲＮＣとの間のインターフェースの名前
Ｉｕｂ          ＲＮＣとＮｏｄｅ−Ｂとの間のインターフェースの名前
ＮＡＣＫ        否定応答
ＲＮＣ          無線ネットワーク・コントローラ
ＳＩＲ          信号対混信比
ＴＰＣ          送信電力制御
ＵＥ            ユーザ装置
ＵＬ            アップリンク
Ｕｕ            Ｎｏｄｅ−ＢとＵＥとの間のインターフェースの名前
ＷＣＤＭＡ      広帯域符号分割多元接続
【図１】
2013512599.tif 000003
【図２】
2013512599.tif 000004
【図３】
2013512599.tif 000005
【図４】
2013512599.tif 000006
【図５】
2013512599.tif 000007
【図６】
2013512599.tif 000008
【図７】
2013512599.tif 000009
【図８】
2013512599.tif 000010
【国際調査報告】
2013512599.tif 000011
2013512599.tif 000012